(57)【要約】【課題】従来の電気光学装置では、画像の表示品位が損なわれる範囲を軽減することが困難である。【解決手段】電気光学装置は、複数の画素と、遮光膜１０３と、を有している。複数の画素は、複数の画素群に区分されている。画素群は、第１の画像が対応付けられた第１の画素７1と、第２の画像が対応付けられた第２の画素７2と、第３の画像が対応付けられた第３の画素７3と、第４の画像が対応付けられた第４の画素７4と、を１つずつ含んでいる。遮光膜１０３には、画素群ごとに開口部１１１が設けられている。画素群において、第１の画素７1と第２の画素７2とが、Ｙ方向に隣り合っており、且つ、第３の画素７3と第４の画素７4とが、Ｘ方向に第１の画素７1及び第２の画素７2を挟んで互いに対峙している。【選択図】図１１
2010176058.tif 000002
【特許請求の範囲】
【請求項１】
相互に異なる色の光を射出する複数の画素を１つの複合画素とする複数の前記複合画素と、
前記画素から射出された光が及ぶ範囲を前記画素ごとに規定する光学素子と、を含み、
複数の前記画素は、複数の画素群に区分されており、
前記画素群は、
第１の画像が対応付けられた第１の画素と、
第２の画像が対応付けられた第２の画素と、
第３の画像が対応付けられた第３の画素と、
第４の画像が対応付けられた第４の画素と、を１つずつ含んでおり、
前記光学素子は、前記画素群に対応して設けられており、
前記画素群において、前記第１の画素と前記第２の画素とが、第１の方向に隣り合っており、且つ、前記第３の画素と前記第４の画素とが、前記第１の方向とは交差する第２の方向に、前記第１の画素及び前記第２の画素を挟んで互いに対峙している、
ことを特徴とする電気光学装置。
【請求項２】
前記複数の複合画素に平面的に重なる表示領域を有し、
前記表示領域の平面的な輪郭は、互いに向き合う２つの角部を１組の対角とする少なくとも２組の対角を有しており、
前記第１の方向及び前記第２の方向は、前記対角における前記２つの角部を結ぶ方向とは交差している、
ことを特徴とする請求項１に記載の電気光学装置。
【請求項３】
前記画素は、前記第１の方向に延びる第１辺と、前記第２の方向に延びる第２辺とを有する四辺形によって区画されており、
複数の前記画素群は、前記第１の方向及び前記第２の方向とは交差する方向に配列している、
ことを特徴とする請求項１又は２に記載の電気光学装置。
【請求項４】
前記第１辺は、前記第２辺よりも長い、ことを特徴とする請求項３に記載の電気光学装置。
【請求項５】
前記第２辺は、前記第１辺よりも長い、ことを特徴とする請求項３に記載の電気光学装置。
【請求項６】
前記光学素子は、前記複数の画素の前記光の射出側に設けられた遮光膜を有しており、
前記遮光膜には、前記画素群ごとに開口部が設けられている、ことを特徴とする請求項１乃至５のいずれか一項に記載の電気光学装置。
【請求項７】
請求項１乃至６のいずれか一項に記載の電気光学装置を表示部として有する、ことを特徴とする電子機器。
【発明の詳細な説明】
【技術分野】
【０００１】
本発明は、電気光学装置及び電子機器等に関する。
【背景技術】
【０００２】
従来、電気光学装置の１つとして、複数の方向から見たときに、それぞれの視方向ごとに異なる画像を表示（以下、指向性表示と呼ぶ）することができる表示装置が知られている。このような表示装置としては、表示パネルとバリアとを有する構成が知られている。バリアは、開口部と遮光部とを有している。
表示パネルとバリアとを有する表示装置では、バリアの開口部を介して複数の範囲のそれぞれに、相互に異なる画像を表示することができる。
このような表示装置において、従来、平面視で表示装置を中心とする３６０度の全景を４つの範囲に分割し、それぞれの範囲に指向性表示を行うことができるものがある（例えば、特許文献１参照）。
【０００３】
【特許文献１】特開２００６−１８２８２号公報（第３２頁〜第３７頁、図１７〜図２０）
【発明の開示】
【発明が解決しようとする課題】
【０００４】
ここで、表示パネルとバリアとを有する表示装置で、２種類の画像を異なる範囲に指向性表示を行う仕組みについて、断面図を用いて説明する。表示パネル８００は、図２６に示すように、第１の画像を表示する第１の複合画素８０１と、第２の画像を表示する第２の複合画素８０３とを有している。
第１の複合画素８０１は、相互に異なる色の光を射出する画素８０１Ｒと、画素８０１Ｇと、画素８０１Ｂと、を有している。第２の複合画素８０３も、相互に異なる色の光を射出する画素８０３Ｒと、画素８０３Ｇと、画素８０３Ｂと、を有している。
隣り合う第１の複合画素８０１と第２の複合画素８０３とは、対８０４を構成している。バリア８０５には、対８０４ごとに開口部８０７が設けられている。隣り合う開口部８０７同士の間には、遮光部８０９が位置している。
【０００５】
第１の複合画素８０１からの光８１１は、開口部８０７を介して第１の範囲８１３に及ぶ。第２の複合画素８０３からの光８１５は、開口部８０７を介して第２の範囲８１７に及ぶ。つまり、第１の範囲８１３内にある視点からは第１の画像が視認され、第２の範囲８１７内にある視点からは第２の画像が視認され得る。なお、第１の範囲８１３及び第２の範囲８１７は、互いに重なる範囲８１９を有している。範囲８１９内にある視点からは、第１の画像と第２の画像とが重畳した画像が視認される。このため、範囲８１９は、重畳範囲８１９と呼ばれる。
【０００６】
第１の範囲８１３から重畳範囲８１９を除いた範囲８２１内にある視点からは、第１の画像だけが視認され得る。第２の範囲８１７から重畳範囲８１９を除いた範囲８２３内にある視点からは、第２の画像だけが視認され得る。
ところで、第１の複合画素８０１内において、画素８０１Ｒ、画素８０１Ｇ及び画素８０１Ｂは、それぞれ、位置が相互に異なっている。同様に、第２の複合画素８０３内において、画素８０３Ｒ、画素８０３Ｇ及び画素８０３Ｂも、それぞれ、位置が相互に異なっている。
第１の複合画素８０１からの光８１１のうちで画素８０１Ｒから射出された光８１１Ｒは、図２７に示すように、範囲８３１に及ぶ。同様に、画素８０１Ｇから射出された光８１１Ｇが範囲８３３に及び、画素８０１Ｂから射出された光８１１Ｂが範囲８３５に及ぶ。
【０００７】
第１の画像だけが視認され得る範囲８２１内において、光８１１Ｒ、光８１１Ｇ及び光８１１Ｂのすべてを視認できるのは、範囲８３７に限られる。範囲８３７は、範囲８２１内において、範囲８３１と、範囲８３３と、範囲８３５とが重畳する範囲である。
範囲８２１から範囲８３７を除いた範囲では、光８１１Ｂを視認することができない。つまり、この状態では、範囲８２１内に視点が位置しているのに、光８１１Ｂを視認することができない。このことは、観察者にとっては、光８１１Ｂが欠落した状態で第１の画像を視認していることを意味する。この状態では、第１の画像の色合いが正しく表現されない。つまり、範囲８２１から範囲８３７を除いた範囲は、画像の表示品位が損なわれる範囲である。
【０００８】
このように、従来の電気光学装置では、画像の表示品位が損なわれる範囲を軽減することが困難であるという課題がある。
【課題を解決するための手段】
【０００９】
本発明は、上述の課題の少なくとも一部を解決するためになされたものであり、以下の形態又は適用例として実現され得る。
【００１０】
［適用例１］相互に異なる色の光を射出する複数の画素を１つの複合画素とする複数の前記複合画素と、前記画素から射出された光が及ぶ範囲を前記画素ごとに規定する光学素子と、を含み、複数の前記画素は、複数の画素群に区分されており、前記画素群は、第１の画像が対応付けられた第１の画素と、第２の画像が対応付けられた第２の画素と、第３の画像が対応付けられた第３の画素と、第４の画像が対応付けられた第４の画素と、を１つずつ含んでおり、前記光学素子は、前記画素群に対応して設けられており、前記画素群において、前記第１の画素と前記第２の画素とが、第１の方向に隣り合っており、且つ、前記第３の画素と前記第４の画素とが、前記第１の方向とは交差する第２の方向に、前記第１の画素及び前記第２の画素を挟んで互いに対峙している、ことを特徴とする電気光学装置。
【００１１】
この適用例の電気光学装置は、複数の複合画素と、光学素子と、を含んでいる。複合画素は、相互に異なる色の光を射出する複数の画素を包含している。光学素子は、画素から射出された光が及ぶ範囲を画素ごとに規定する。
複数の画素は、複数の画素群に区分されている。画素群は、第１の画素と、第２の画素と、第３の画素と、第４の画素と、を１つずつ含んでいる。
光学素子は、画素群に対応して設けられている。
この電気光学装置では、画素群において、第１の画素と第２の画素とが、第１の方向に隣り合っている。また、第３の画素と第４の画素とが、第２の方向に、第１の画素及び第２の画素を挟んで互いに対峙している。第１の方向と第２の方向とは、互いに交差している。
この電気光学装置では、第１の方向において、第１の画像と第２の画像とを、それぞれ異なる範囲に表示することができる。また、第２の方向において、第３の画像と第４の画像とを、それぞれ異なる範囲に表示することができる。つまり、第１の画像と、第２の画像と、第３の画像と、第４の画像とを、それぞれ異なる範囲に指向性表示することができる。
この電気光学装置では、画素群が第１の画素と、第２の画素と、第３の画素と、第４の画素と、を１つずつ含んでいる。画素は、複合画素の構成要素である。このため、この電気光学装置では、各画像を形成する光が及ぶ範囲を画素ごとに規定することができる。
これにより、例えば、各画像を形成する光が及ぶ範囲を複合画素の単位で規定する場合に比較して、各色の光が及ぶ範囲を画像ごとに合わせやすくすることができる。この結果、画像の表示品位が損なわれる範囲を軽減しやすくすることができる。
【００１２】
［適用例２］上記の電気光学装置であって、前記複数の複合画素に平面的に重なる表示領域を有し、前記表示領域の平面的な輪郭は、互いに向き合う２つの角部を１組の対角とする少なくとも２組の対角を有しており、前記第１の方向及び前記第２の方向は、前記対角における前記２つの角部を結ぶ方向とは交差している、ことを特徴とする電気光学装置。
【００１３】
この適用例の電気光学装置は、表示領域を有している。表示領域は、複数の複合画素に平面的に重なっている。
表示領域の平面的な輪郭は、少なくとも２組の対角を有している。互いに向き合う２つの角部が、１組の対角を構成する。
この電気光学装置では、第１の方向及び第２の方向は、対角方向とは交差している。対角方向は、対角における２つの角部を結ぶ方向である。
上記の構成により、第１の方向及び第２の方向を、対角方向からずらすことができる。
【００１４】
［適用例３］上記の電気光学装置であって、前記画素は、前記第１の方向に延びる第１辺と、前記第２の方向に延びる第２辺とを有する四辺形によって区画されており、複数の前記画素群は、前記第１の方向及び前記第２の方向とは交差する方向に配列している、ことを特徴とする電気光学装置。
【００１５】
この適用例では、画素は、四辺形によって区画されている。四辺形は、第１の方向に延びる第１辺と、第２の方向に延びる第２辺と、を有している。そして、複数の画素群は、第１の方向及び第２の方向とは交差する方向に配列している。
この適用例では、複数の画素を、第１の方向及び第２の方向とは交差する方向に並べやすくすることができる。この結果、画素の配置密度を高めやすくすることができる。
【００１６】
［適用例４］上記の電気光学装置であって、前記第１辺は、前記第２辺よりも長い、ことを特徴とする電気光学装置。
【００１７】
この適用例では、第１辺が第２辺よりも長いので、第２の方向における解像度を、第１の方向における解像度よりも高めることができる。
【００１８】
［適用例５］上記の電気光学装置であって、前記第２辺は、前記第１辺よりも長い、ことを特徴とする電気光学装置。
【００１９】
この適用例では、第２辺が第１辺よりも長いので、第１の方向における解像度を、第２の方向における解像度よりも高めることができる。
【００２０】
［適用例６］上記の電気光学装置であって、前記光学素子は、前記複数の画素の前記光の射出側に設けられた遮光膜を有しており、前記遮光膜には、前記画素群ごとに開口部が設けられている、ことを特徴とする電気光学装置。
【００２１】
この適用例では、遮光膜に設けられた開口部を介して、画素からの光が及ぶ範囲を規定することができる。
【００２２】
［適用例７］上記の電気光学装置を表示部として有する、ことを特徴とする電子機器。
【００２３】
この適用例の電子機器は、表示部としての電気光学装置が、複数の複合画素と、光学素子と、を含んでいる。複合画素は、相互に異なる色の光を射出する複数の画素を包含している。光学素子は、画素から射出された光が及ぶ範囲を画素ごとに規定する。
複数の画素は、複数の画素群に区分されている。画素群は、第１の画素と、第２の画素と、第３の画素と、第４の画素と、を１つずつ含んでいる。
光学素子は、画素群に対応して設けられている。
この電気光学装置では、画素群において、第１の画素と第２の画素とが、第１の方向に隣り合っている。また、第３の画素と第４の画素とが、第２の方向に、第１の画素及び第２の画素を挟んで互いに対峙している。第１の方向と第２の方向とは、互いに交差している。
この電気光学装置では、第１の方向において、第１の画像と第２の画像とを、それぞれ異なる範囲に表示することができる。また、第２の方向において、第３の画像と第４の画像とを、それぞれ異なる範囲に表示することができる。つまり、第１の画像と、第２の画像と、第３の画像と、第４の画像とを、それぞれ異なる範囲に指向性表示することができる。
この電気光学装置では、画素群が第１の画素と、第２の画素と、第３の画素と、第４の画素と、を１つずつ含んでいる。画素は、複合画素の構成要素である。このため、この電気光学装置では、各画像を形成する光が及ぶ範囲を画素ごとに規定することができる。
これにより、例えば、各画像を形成する光が及ぶ範囲を複合画素の単位で規定する場合に比較して、各色の光が及ぶ範囲を画像ごとに合わせやすくすることができる。この結果、画像の表示品位が損なわれる範囲を軽減しやすくすることができる。
この適用例の電子機器は、画像の表示品位が損なわれる範囲を軽減しやすくすることができる電気光学装置を表示部として有している。このため、この電子機器では、表示部において、画像の表示品位が損なわれる範囲を軽減しやすくすることができる。
【発明を実施するための最良の形態】
【００２４】
実施形態について、電気光学装置の１つである液晶装置を利用した表示装置を例に、図面を参照しながら説明する。
実施形態における表示装置１は、図１に示すように、表示パネル３と、照明装置５と、を有している。
【００２５】
ここで、表示パネル３には、表示領域６が設定されている。表示領域６は、画像が表示され得る領域である。表示領域６内には、複数の画素７が設定されている。
表示装置１は、照明装置５から表示パネル３に入射された光を、表示パネル３に設定されている複数の画素７から選択的に表示面９を介して表示パネル３の外に射出することで、表示面９に画像を表示することができる。図１では、構成をわかりやすく示すため、画素７が誇張され、且つ画素７の個数が減じられている。
【００２６】
表示パネル３は、図１中のＡ−Ａ線における断面図である図２に示すように、液晶パネル１１と、バリア基板１３と、偏光板１９ａと、偏光板１９ｂと、を有している。
液晶パネル１１は、素子基板２１と、対向基板２３と、液晶２５と、シール材２７と、を有している。
素子基板２１には、表示面９側すなわち液晶２５側に、複数の画素７のそれぞれに対応して、後述するスイッチング素子などが設けられている。
【００２７】
対向基板２３は、素子基板２１よりも表示面９側で素子基板２１に対向し、且つ素子基板２１との間に隙間を有した状態で設けられている。対向基板２３には、表示装置１における表示面９の裏面に相当する面である底面２９側すなわち液晶２５側に、後述する対向電極などが設けられている。
【００２８】
液晶２５は、素子基板２１及び対向基板２３の間に介在しており、表示パネル３の周縁よりも内側で表示領域６を囲むシール材２７によって、素子基板２１及び対向基板２３の間に封止されている。なお、本実施形態では、液晶２５として、ＴＮ（Twisted Nematic）型が採用されている。
【００２９】
バリア基板１３は、対向基板２３よりも表示面９側で対向基板２３に対向した状態で設けられている。バリア基板１３には、底面２９側すなわち液晶パネル１１側に、後述する遮光膜が設けられている。
偏光板１９ａは、液晶パネル１１よりも底面２９側に設けられている。偏光板１９ｂは、バリア基板１３よりも表示面９側に設けられている。
偏光板１９ａ及び偏光板１９ｂは、それぞれ、透過軸を有している。これらの偏光板１９ａ及び偏光板１９ｂは、それぞれ、透過軸の方向に偏光軸を有する光を透過させることができる。
【００３０】
なお、液晶パネル１１とバリア基板１３との間や、バリア基板１３よりも表示面９側に、光学補償フィルムを設けた構成も採用され得る。光学補償フィルムを設けることで、表示パネル３を表示面９の法線方向から見たときや、法線方向から傾斜した方向から見たときなどの液晶２５の位相差を補償することができる。これにより、光漏れを低減することができ、コントラストの向上が図られる。
【００３１】
光学補償フィルムとしては、屈折率異方性が負のディスコティック液晶分子等をハイブリッド配向させた負の一軸性媒体（例えば、富士フィルム製のＷＶフィルム）などが採用され得る。また、屈折率異方性が正のネマチック液晶分子等をハイブリッド配向させた正の一軸性媒体（例えば、日本石油製のＮＨフィルム）なども採用され得る。さらに、負の一軸性媒体と正の一軸性媒体とを組み合わせた構成も採用され得る。その他、各方向の屈折率がｎｘ＞ｎｙ＞ｎｚとなる二軸性媒体や、負のＣ−Ｐｌａｔｅ等も採用され得る。
【００３２】
照明装置５は、表示パネル３よりも底面２９側に設けられている。照明装置５は、導光板３１と、光源３３と、を有している。
導光板３１は、偏光板１９ａよりも底面２９側に設けられており、側面３５ａと、光射出面３５ｂと、底面３５ｃと、を有している。導光板３１は、光射出面３５ｂが表示面９側すなわち偏光板１９ａ側に向けられた状態で設けられている。光射出面３５ｂは、偏光板１９ａに対向している。
光源３３は、例えば、ＬＥＤ（Light Emitting Diode）や冷陰極管などが採用され、導光板３１の側面３５ａに対向した状態で設けられている。
【００３３】
光源３３からの光は、導光板３１の側面３５ａに入射される。導光板３１に入射された光は、導光板３１の中で反射しながら光射出面３５ｂから射出される。光射出面３５ｂから射出された光は、偏光板１９ａを介して液晶パネル１１に入射される。なお、導光板３１には、必要に応じて、光射出面３５ｂに拡散板が設けられ、底面３５ｃに反射板が設けられる。
【００３４】
本実施形態での表示パネル３では、各画素７は、図３に示すように、第１辺３７ａと第２辺３７ｂとを有する四辺形を呈している。なお、本実施形態では、第２辺３７ｂは、第１辺３７ａよりも短い長さに設定されている。
そして、本実施形態では、複数の画素７は、画素７の第１辺３７ａが延在する方向に沿って並んでいる。
以下において、画素７の第１辺３７ａが延在する方向をＹ方向とし、Ｙ方向とは直交（交差）する方向をＸ方向とする。
本実施形態では、Ｙ方向は、複数の画素７が並ぶ方向であるとも定義され得る。また、Ｘ方向は、画素７の第２辺３７ｂが延在する方向であるとも定義され得る。
以下の説明において、Ｘ方向及びＹ方向は、表示装置１及び表示装置１のすべての構成に対して統一した方向として適用される。
【００３５】
ここで、表示パネル３は、平面図である図４に示すように、Ｘ方向に沿って延在する辺４１ａ及び辺４１ｂと、Ｙ方向に沿って延在する辺４１ｃ及び辺４１ｄとを有する四辺形を呈している。
また、表示装置１の表示領域６は、Ｘ方向に沿って延在する辺４３ａ及び辺４３ｂと、Ｙ方向に沿って延在する辺４３ｃ及び辺４３ｄとを有する四辺形に設定されている。
辺４３ａと、辺４３ｄとは、角部４４ａで交差している。辺４３ａと、辺４３ｃとは、角部４４ｂで交差している。同様に、辺４３ｂと辺４３ｃとが角部４５ａで交差し、辺４３ｂと辺４３ｄとが角部４５ｂで交差している。
【００３６】
角部４４ａと、角部４５ａとは、一対の対角を構成している。また、角部４４ｂと、角部４５ｂとは、一対の対角を構成している。
角部４４ａと角部４５ａとを結ぶ対角線４６ａは、Ｘ方向及びＹ方向のそれぞれの方向とは交差する方向に延在している。また、角部４４ｂと角部４５ｂとを結ぶ対角線４６ｂも、Ｘ方向及びＹ方向のそれぞれの方向とは交差する方向に延在している。
【００３７】
ところで、本実施形態での表示パネル３では、Ｙ方向に沿って並ぶ複数の画素７が、図３に示すように、１つの画素列５１を構成している。表示パネル３には、複数の画素列５１が設けられている。複数の画素列５１は、Ｘ方向に並んでいる。Ｘ方向に隣り合う２つの画素列５１において、Ｘ方向に隣り合う２つの画素７は、互いにＹ方向にずれている。
本実施形態では、Ｘ方向に隣り合う２つの画素列５１において、Ｘ方向に隣り合う２つの画素７は、Ｙ方向に隣り合う２つの画素７の間隔の半分だけ互いにＹ方向にずれている。
【００３８】
他の観点から、Ｘ方向に隣り合う２つの画素列５１において、Ｘ方向に隣り合う２つの画素７は、Ｘ方向から傾斜した方向であるＶ方向やＶ'方向に沿って並んでいるともみなされ得る。この観点から、本実施形態では、複数の画素７は、Ｖ方向やＶ'方向に沿って並んでいるとみなされ得る。
本実施形態では、Ｖ方向に沿って並ぶ複数の画素７が、１つの画素配列５３を構成している。そして、表示パネル３は、複数の画素配列５３を有している。
なお、Ｖ方向及びＶ'方向は、互いに交差する方向であり、それぞれ、Ｘ方向及びＹ方向の双方に対して交差する方向である。
本実施形態において、複数の画素７がＹ方向及びＶ方向のそれぞれに沿って並ぶ配列構成は、配列構成Ｍ１と呼ばれる。
【００３９】
表示パネル３に設定されている複数の画素７は、それぞれ、表示面９から射出する光の色が、赤系（Ｒ）、緑系（Ｇ）及び青系（Ｂ）のうちの１つに設定されている。つまり、複数の画素７は、Ｒの光を射出する画素７Ｒと、Ｇの光を射出する画素７Ｇと、Ｂの光を射出する画素７Ｂとを含んでいる。
【００４０】
ここで、Ｒの色は、純粋な赤の色相に限定されず、橙等を含む。Ｇの色は、純粋な緑の色相に限定されず、青緑や黄緑等を含む。Ｂの色は、純粋な青の色相に限定されず、青紫や青緑等を含む。他の観点から、Ｒの色を呈する光は、光の波長のピークが、可視光領域で５７０ｎｍ以上の範囲にある光であると定義され得る。また、Ｇの色を呈する光は、光の波長のピークが５００ｎｍ〜５６５ｎｍの範囲にある光であると定義され得る。Ｂの色を呈する光は、光の波長のピークが４１５ｎｍ〜４９５ｎｍの範囲にある光であると定義され得る。
【００４１】
配列構成Ｍ１では、１つの画素列５１内の各画素７は、光の色がＲ、Ｇ及びＢのうちの１つに設定されている。つまり、配列構成Ｍ１は、複数の画素７ＲがＹ方向に配列した画素列５１Ｒと、複数の画素７ＧがＹ方向に配列した画素列５１Ｇと、複数の画素７ＢがＹ方向に配列した画素列５１Ｂとを有している。そして、配列構成Ｍ１では、画素列５１Ｒ、画素列５１Ｇ及び画素列５１Ｂが、Ｘ方向に沿って反復して並んでいる。
なお、以下においては、画素列５１という表記と、画素列５１Ｒ、画素列５１Ｇ及び画素列５１Ｂという表記とが、適宜、使いわけられる。
【００４２】
本実施形態では、画素７Ｒと画素７Ｇと画素７Ｂとが、図５に示すように、１つの複合画素５４を構成している。配列構成Ｍ１における複数の画素７は、複数の複合画素５４に区分されている。
複合画素５４は、画素７Ｒと画素７Ｇと画素７Ｂとを、１つずつ包含している。１つの複合画素５４において、画素７Ｒと画素７Ｇと画素７Ｂとは、Ｖ方向に連続して並んでいる。
【００４３】
また、本実施形態では、複数の画素７は、図６に示すように、複数の第１の画素７1と、複数の第２の画素７2と、複数の第３の画素７3と、複数の第４の画素７4と、に区別されている。表示装置１では、照明装置５から表示パネル３に入射された光を、複数の第１の画素７1から選択的に表示面９を介して表示パネル３の外に射出することで、表示面９に第１の画像を表示することができる。
また、表示装置１では、照明装置５から表示パネル３に入射された光を、複数の第２の画素７2から選択的に表示面９を介して表示パネル３の外に射出することで、表示面９に第２の画像を表示することができる。
【００４４】
同様に、表示装置１では、照明装置５からの光を、複数の第３の画素７3から選択的に射出することで表示面９に第３の画像を表示することができ、複数の第４の画素７4から選択的に射出することで表示面９に第４の画像を表示することができる。
つまり、表示装置１では、第１の画素７1に第１の画像が対応付けられ、第２の画素７2に第２の画像が対応付けられ、第３の画素７3に第３の画像が対応付けられ、第４の画素７4に第４の画像が対応付けられている。
表示装置１では、第１の画像、第２の画像、第３の画像及び第４の画像を、同一フレーム内で表示することができる。
【００４５】
なお、第１の画像、第２の画像、第３の画像及び第４の画像は、相互に異なる画像であることと、相互に同じ画像であることとが問われない。
また、以下においては、画素７という表記と、画素７Ｒ，７Ｇ及び７Ｂという表記と、第１の画素７1及び第２の画素７2並びに第３の画素７3及び第４の画素７4という表記とが、適宜、使いわけられる。また、第１の画素７1に対してＲ、Ｇ及びＢが識別される場合、第１の画素７Ｒ1，７Ｇ1及び７Ｂ1という表記が用いられる。同様に、第２の画素７2に対してＲ、Ｇ及びＢが識別される場合、第２の画素７Ｒ2，７Ｇ2及び７Ｂ2という表記が用いられる。第３の画素７3及び第４の画素７4に対しても同様である。つまり、第３の画素７3及び第４の画素７4のそれぞれに対してＲ、Ｇ及びＢが識別される場合、第３の画素７Ｒ3，７Ｇ3及び７Ｂ3という表記、並びに、第４の画素７Ｒ4，７Ｇ4及び７Ｂ4という表記が用いられる。
【００４６】
本実施形態では、Ｙ方向において、第１の画素７1と第２の画素７2とが交互に並び、第３の画素７3と第４の画素７4とが交互に並んでいる。つまり、本実施形態では、複数の画素列５１には、第１の画素７1と第２の画素７2とがＹ方向に交互に並ぶ画素列５１と、第３の画素７3と第４の画素７4とがＹ方向に交互に並ぶ画素列５１とが含まれている。
また、本実施形態では、Ｘ方向において、第１の画素７1と第２の画素７2とは、第３の画素７3及び第４の画素７4を挟んでＸ方向に沿って並んでいる。第３の画素７3と第４の画素７4とは、第１の画素７1及び第２の画素７2を挟んでＸ方向に沿って並んでいる。
【００４７】
Ｖ方向においては、第１の画素７1と第４の画素７4とが交互に並び、第２の画素７2と第３の画素７3とが交互に並んでいる。
つまり、本実施形態では、複数の画素配列５３には、第１の画素７1と第４の画素７4とがＶ方向に交互に並ぶ画素配列５３と、第２の画素７2と第３の画素７3とがＶ方向に交互に並ぶ画素配列５３とが含まれている。
なお、配列構成Ｍ１では、第１の画素７1と第３の画素７3とがＶ'方向に交互に並んでおり、第２の画素７2と第４の画素７4とがＶ'方向に交互に並んでいる。
【００４８】
配列構成Ｍ１において、複数の画素７は、図７に示すように、４つの画素７を１組とする複数組の画素群５５に区分されている。
１組の画素群５５を構成する４つの画素７には、第１の画素７1と、第２の画素７2と、第３の画素７3と、第４の画素７4と、が１つずつ含まれている。つまり、１組の画素群５５は、第１の画素７1と、第２の画素７2と、第３の画素７3と、第４の画素７4と、を１つずつ包含している。
【００４９】
１組の画素群５５は、Ｙ方向に隣り合う第１の画素７1及び第２の画素７2の１組と、この１組を挟んでＸ方向に対峙する第３の画素７3及び第４の画素７4の１組と、を包含している。
１組の画素群５５において、第１の画素７1と第３の画素７3とがＶ'方向に隣り合っており、第２の画素７2と第３の画素７3とがＶ方向に隣り合っている。また、１組の画素群５５において、第１の画素７1と第４の画素７4とがＶ方向に隣り合っており、第２の画素７2と第４の画素７4とがＶ'方向に隣り合っている。
【００５０】
各画素群５５での第１の画素７1、第２の画素７2、第３の画素７3及び第４の画素７4の並び順は、複数組の画素群５５間で統一している。
なお、画素群５５において、第１の画素７1、第２の画素７2、第３の画素７3及び第４の画素７4の並び順は、複数組の画素群５５間で統一していれば、任意の並び順が採用され得る。
上記の配列構成Ｍ１では、複数組の画素群５５は、図８に示すように、Ｘ方向及びＶ方向のそれぞれの方向に沿って並んでいる。
【００５１】
ここで、表示パネル３の構成について、詳細を説明する。
液晶パネル１１の素子基板２１は、図３中のＤ−Ｄ線における断面図である図９に示すように、第１基板６１を有している。第１基板６１は、例えばガラスや石英などの光透過性を有する材料で構成されており、表示面９側に向けられた第１面６３ａと、底面２９側に向けられた第２面６３ｂと、を有している。
【００５２】
第１基板６１の第１面６３ａには、ゲート絶縁膜６５が設けられている。ゲート絶縁膜６５の表示面９側には、絶縁膜６７が設けられている。絶縁膜６７の表示面９側には、配向膜６９が設けられている。
また、素子基板２１には、各画素７に対応して、スイッチング素子の１つであるＴＦＴ（Thin Film Transistor）素子７１と、画素電極７３とが、第１基板６１の第１面６３ａ側に設けられている。
ＴＦＴ素子７１は、ゲート電極７５と、半導体層７７と、ソース電極７９と、ドレイン電極８１と、を有している。
【００５３】
ゲート電極７５は、第１基板６１の第１面６３ａに設けられており、ゲート絶縁膜６５によって表示面９側から覆われている。なお、ゲート電極７５の材料としては、例えば、モリブデン、タングステン、クロムなどの金属や、これらを含む合金などが採用され得る。また、ゲート絶縁膜６５の材料としては、例えば、酸化シリコンや窒化シリコンなどの光透過性を有する無機材料が採用され得る。本実施形態では、ゲート絶縁膜６５の材料として、酸化シリコンが採用されている。
半導体層７７は、例えばアモルファスシリコンで構成されており、ゲート絶縁膜６５を挟んでゲート電極７５に対向する位置に設けられている。
【００５４】
ソース電極７９は、ゲート絶縁膜６５の表示面９側に設けられており、一部が半導体層７７に重なっている。ドレイン電極８１は、ゲート絶縁膜６５の表示面９側に設けられており、一部が半導体層７７に重なっている。なお、ソース電極７９やドレイン電極８１の材料としては、例えば、金、銀、銅、アルミニウムなどの金属や、これらを含む合金などが採用され得る。
なお、ＴＦＴ素子７１は、領域８８内に設けられており、ドレイン電極８１が領域８８内から画素７の領域内に延長されている。
【００５５】
上記の構成を有するＴＦＴ素子７１は、半導体層７７がゲート電極７５と、ソース電極７９及びドレイン電極８１との間に位置する所謂ボトムゲート型である。このＴＦＴ素子７１は、絶縁膜６７によって表示面９側から覆われている。なお、絶縁膜６７の材料としては、例えば、酸化シリコンや窒化シリコンなどの無機材料の他に、アクリル系の樹脂などの光透過性を有する有機材料も採用され得る。本実施形態では、絶縁膜６７の材料として、アクリル系の樹脂が採用されている。
【００５６】
画素電極７３は、絶縁膜６７の表示面９側に設けられている。画素電極７３は、例えばＩＴＯ（Indium Tin Oxide）やインジウム亜鉛酸化物等の光透過性を有する材料や、マグネシウムと銀とを含む合金等を薄膜化して光透過性を付与したものなどで構成され得る。画素電極７３は、絶縁膜６７に設けられたコンタクトホール８３を介してドレイン電極８１につながっている。
配向膜６９は、例えばポリイミドなどの光透過性を有する材料で構成されており、絶縁膜６７及び画素電極７３を表示面９側から覆っている。なお、配向膜６９には、ラビング処理などの配向処理が施されている。
【００５７】
対向基板２３は、第２基板８５を有している。第２基板８５は、例えばガラスや石英などの光透過性を有する材料で構成されており、表示面９側に向けられた外向面８６ａと、底面２９側に向けられた対向面８６ｂとを有している。
第２基板８５の対向面８６ｂには、各画素７を区画する光吸収層８７が領域８８にわたって設けられている。表示装置１では、各画素７の領域は、光吸収層８７によって囲まれた領域であると定義され得る。光吸収層８７は、例えば、カーボンブラックやクロムなどの光吸収性が高い材料を含有する樹脂などで構成されており、平面視で格子状に設けられている。
【００５８】
また、第２基板８５の対向面８６ｂには、光吸収層８７によって囲まれた各領域、すなわち各画素７の領域を底面２９側から覆うカラーフィルター８９が設けられている。
ここで、カラーフィルター８９は、入射された光のうち所定の波長域の光を透過させることができる。カラーフィルター８９は、画素７Ｒ、画素７Ｇ及び画素７Ｂごとに異なる色に着色された樹脂などで構成されている。画素７Ｒに対応するカラーフィルター８９は、Ｒの光を透過させることができる。画素７Ｇに対応するカラーフィルター８９はＧの光を透過させ、画素７Ｂに対応するカラーフィルター８９はＢの光を透過させることができる。なお、以下において、各カラーフィルター８９に対してＲ、Ｇ及びＢが識別される場合に、カラーフィルター８９Ｒ，８９Ｇ及び８９Ｂという表記が用いられる。
【００５９】
光吸収層８７及びカラーフィルター８９の底面２９側には、オーバーコート層９１が設けられている。オーバーコート層９１は、光透過性を有する樹脂などで構成されており、光吸収層８７及びカラーフィルター８９を底面２９側から覆っている。
オーバーコート層９１の底面２９側には、対向電極９３が設けられている。対向電極９３は、例えばＩＴＯやインジウム亜鉛酸化物等の光透過性を有する材料や、マグネシウムと銀とを含む合金等を薄膜化して光透過性を付与したものなどで構成され得る。
【００６０】
対向電極９３は、表示領域６内の複数の画素７間にわたって一連した状態で設けられている。つまり、対向電極９３は、表示領域６内の複数の画素７に平面視で重なる領域に設けられており、複数の画素７間にわたって共通して機能する。なお、対向電極９３は、図示しない共通線につながっている。
対向電極９３の底面２９側には、配向膜９５が設けられている。配向膜９５は、例えばポリイミドなどの光透過性を有する材料で構成されており、対向電極９３を底面２９側から覆っている。配向膜９５には、ラビング処理などの配向処理が施されている。
【００６１】
素子基板２１及び対向基板２３の間に介在する液晶２５は、配向膜６９と配向膜９５との間に介在している。表示装置１では、図２に示すシール材２７は、図９に示す第１基板６１の第１面６３ａと、第２基板８５の対向面８６ｂとによって挟持されている。つまり、表示装置１では、液晶２５は、第１基板６１及び第２基板８５によって保持されている。なお、シール材２７は、配向膜６９及び配向膜９５の間に設けられていてもよい。この場合、液晶２５は、素子基板２１及び対向基板２３に保持されているとみなされ得る。
【００６２】
また、表示装置１において、液晶２５を駆動する最小単位が画素７であるという観点から、各画素７は、１つの画素電極７３と、この１つの画素電極７３に平面視で重なる領域内の対向電極９３と、によっても規定され得る。平面視で、１つの画素電極７３と対向電極９３とが重なり合う領域が１つの画素７の領域とみなされ得る。このため、画素７は、１つのＴＦＴ素子７１と、このＴＦＴ素子７１に電気的につながる画素電極７３と、この画素電極７３に平面視で重なる対向電極９３と、この画素電極７３及び対向電極９３の間に介在する液晶２５と、１つのカラーフィルター８９と、を有する素子であるともみなされ得る。
【００６３】
バリア基板１３は、第３基板１０１を有している。第３基板１０１は、例えばガラスや石英などの光透過性を有する材料で構成されており、表示面９側に向けられた外向面１０２ａと、底面２９側に向けられた対向面１０２ｂと、を有している。
第３基板１０１の対向面１０２ｂには、遮光膜１０３が設けられている。
ここで、遮光膜１０３は、表示領域６にわたって設けられている。他の観点において、遮光膜１０３は、表示領域６内の複数の画素７間にわたって設けられている。つまり、遮光膜１０３は、表示領域６内の複数の画素７に平面視で重なる領域に設けられている。遮光膜１０３は、例えば、カーボンブラックなどを含有する樹脂や、クロムなどの光吸収性が高い材料で構成され得る。
【００６４】
遮光膜１０３の底面２９側には、オーバーコート層１０８が設けられている。オーバーコート層１０８は、光透過性を有する樹脂などで構成されており、遮光膜１０３を底面２９側から覆っている。
上記の構成を有するバリア基板１３は、光透過性を有する接着剤１０９を介して、液晶パネル１１に貼り付けられている。本実施形態では、対向面１０２ｂが第２基板８５の外向面８６ａに向けられた状態で、オーバーコート層１０８が外向面８６ａに接着剤１０９を介して貼り付けられている。
【００６５】
ここで、遮光膜１０３には、平面図である図１０に示すように、複数の開口部１１１が設けられている。開口部１１１は、画素群５５ごとに設けられている。遮光膜１０３において、開口部１１１の外側の領域は、遮光部１１３とされている。
なお、図１０では、構成をわかりやすく示すため、遮光膜１０３（遮光部１１３）にハッチグが施されている。
遮光膜１０３において、開口部１１１は、図１１に示すように、画素群５５における第１の画素７1及び第２の画素７2に平面視で重なる領域に設けられている。
【００６６】
なお、光の屈折を軽減する観点から、開口部１１１内には、オーバーコート層１０８が入り込んでいることが、好ましい。さらに、開口部１１１内がオーバーコート層１０８で満たされていることが、より好ましい。
本実施形態では、開口部１１１内が、図１１中のＥ−Ｅ線における断面図である図１２に示すように、オーバーコート層１０８で満たされている。
【００６７】
ところで、素子基板２１は、複数のソース線Ｓを有している。複数のソース線Ｓは、ゲート絶縁膜６５上に設けられており、絶縁膜６７によって表示面９側から覆われている。
また、素子基板２１は、図１１中のＦ−Ｆ線における断面図である図１３に示すように、複数のゲート線Ｔを有している。複数のゲート線Ｔは、第１基板６１の第１面６３ａに設けられており、ゲート絶縁膜６５によって表示面９側から覆われている。
Ｙ方向に隣り合うＴＦＴ素子７１間において、ソース電極７９同士は、平面図である図１４に示すように、ソース線Ｓを介してつながっている。
また、Ｘ方向に隣り合うＴＦＴ素子７１間において、ゲート電極７５同士は、図１５に示すように、ゲート線Ｔを介してつながっている。図１４及び図１５では、構成をわかりやすく示すため、ゲート線Ｔ及び画素電極７３のそれぞれにハッチングが施されている。
なお、各画素電極７３は、平面視で周縁部が領域８８内に及んでいる。
【００６８】
ここで、ゲート電極７５は、Ｘ方向に沿って並ぶ複数の画素７間にわたって一連したゲート線Ｔとして設けられている。そして、画素７ごとにゲート線Ｔに対向する位置に半導体層７７が設けられている。各ゲート線Ｔにおいて、平面視で半導体層７７に重なる領域がゲート電極７５であると定義され得る。
なお、図９における液晶パネル１１の断面は、図１４中のＨ−Ｈ線における断面に相当している。
【００６９】
上記の構成を有する表示装置１では、照明装置５から表示パネル３に光を照射した状態で、液晶２５の配向状態を画素７ごとに変化させることにより、表示が制御される。液晶２５の配向状態は、画素電極７３及び対向電極９３間に印加する電圧（以下、駆動電圧と呼ぶ）を制御することによって変化し得る。
配向膜６９及び配向膜９５のそれぞれには、配向処理が施されている。配向処理が施された配向膜６９及び配向膜９５によって、液晶２５の初期的な配向状態が規制される。
表示装置１では、駆動電圧が０Ｖのときに、液晶２５がオフ状態にある。駆動電圧が大きくなると、画素電極７３及び対向電極９３間に発生する電界によって液晶２５が駆動される。液晶２５が駆動された状態は、オン状態と呼ばれる。
【００７０】
図１６（ａ）は、液晶２５がオフ状態のときの液晶パネル１１での偏光状態を示す図である。図１６（ｂ）は、液晶２５がオン状態のときの液晶パネル１１での偏光状態を示す図である。
表示装置１では、偏光板１９ａの透過軸の方向１６１ａは、図１６（ａ）及び図１６（ｂ）に示すように、平面視で偏光板１９ｂの透過軸の方向１６１ｂに直交している。配向膜６９の配向方向１６３は、平面視で透過軸の方向１６１ａに沿っている。配向膜９５の配向方向１６５は、平面視で透過軸の方向１６１ａに直交している。
なお、図１６（ａ）及び図１６（ｂ）において、Ｘ'方向及びＹ'方向は、Ｘ'方向が平面視で偏光板１９ｂの透過軸の方向１６１ｂに沿った方向を示し、Ｙ'方向がＸＹ平面内でＸ'方向に直交する方向を示している。Ｘ'方向及びＹ'方向は、ＸＹ平面内で互いに直交する任意の２方向である。
【００７１】
光源３３から導光板３１を介して偏光板１９ａに入射された入射光は、偏光板１９ａの透過軸の方向１６１ａすなわちＹ'方向に沿った偏光軸を有する直線偏光１６７として液晶２５に入射される。
液晶２５に入射された直線偏光１６７は、液晶２５がオフ状態のときに、図１６（ａ）に示すように、Ｘ'方向に沿った偏光軸を有する直線偏光１６９として偏光板１９ｂに向けて射出される。偏光板１９ｂに向けて射出された直線偏光１６９は、偏光軸の方向が偏光板１９ｂの透過軸の方向１６１ｂに沿っているため、偏光板１９ｂを透過する。
【００７２】
他方で、液晶２５がオン状態のときに、直線偏光１６７は、図１６（ｂ）に示すように、偏光状態が維持されたまま直線偏光１６７として偏光板１９ｂに向けて射出される。偏光板１９ｂに向けて射出された直線偏光１６７は、偏光軸の方向が偏光板１９ｂの透過軸の方向１６１ｂに対して直交しているため、偏光板１９ｂによって吸収される。
【００７３】
表示装置１では、液晶２５がオフ状態のときに液晶パネル１１から表示面９側に光が射出され、液晶２５がオン状態のときに液晶パネル１１からの光の射出が遮断される所謂ノーマリーホワイト（初期的に“白表示”の状態）の表示モードが採用されている。しかしながら、表示モードは、ノーマリーホワイトに限定されず、所謂ノーマリーブラック（初期的に“黒表示”の状態）も採用され得る。
【００７４】
前述したように、表示装置１は、画素群５５ごとに開口部１１１が設けられた遮光膜１０３を有している。照明装置５から各画素７に入射された光は、開口部１１１を介して表示面９側に射出される。
このとき、第１の画素７1から表示面９側に向けて射出された光１８１は、液晶パネル１１及び遮光膜１０３を図１１中のＦ−Ｆ線で切断したときの模式的な断面図である図１７に示すように、開口部１１１を介して第１の範囲１８３に及ぶ。
また、第２の画素７2から表示面９側に向けて射出された光１８５は、開口部１１１を介して第２の範囲１８７に及ぶ。
【００７５】
第１の範囲１８３からは、各開口部１１１を介して射出される第１の画素７1からの光１８１が視認され得る。第２の範囲１８７からは、各開口部１１１を介して射出される第２の画素７2からの光１８５が視認され得る。
第１の範囲１８３内に視点があれば、複数の第１の画素７1からの光１８１によって形成される第１の画像が視認され得る。第２の範囲１８７内に視点があれば、複数の第２の画素７2からの光１８５によって形成される第２の画像が視認され得る。
【００７６】
従って、表示装置１では、第１の画像を第１の範囲１８３に表示し、第２の画像を第２の範囲１８７に表示することができる。第１の範囲１８３及び第２の範囲１８７は、相互に異なる範囲である。
このように、表示装置１では、Ｙ方向において、異なる複数の範囲に指向性表示を行うことができる。
なお、第１の範囲１８３と、第２の範囲１８７とは、互いに重畳する範囲１８９（以下、重畳範囲１８９と呼ぶ）を有している。
【００７７】
他方で、第３の画素７3から表示面９側に向けて射出された光２０１は、液晶パネル１１及び遮光膜１０３を図１１中のＥ−Ｅ線で切断したときの模式的な図である図１８に示すように、開口部１１１を介して第３の範囲２０３に及ぶ。
また、第４の画素７4から表示面９側に向けて射出された光２０５は、開口部１１１を介して第４の範囲２０７に及ぶ。
【００７８】
第３の範囲２０３からは、各開口部１１１を介して射出される第３の画素７3からの光２０１が視認され得る。第４の範囲２０７からは、各開口部１１１を介して射出される第４の画素７4からの光２０５が視認され得る。
第３の範囲２０３内に視点があれば、複数の第３の画素７3からの光２０１によって形成される第３の画像が視認され得る。第４の範囲２０７内に視点があれば、複数の第４の画素７4からの光２０５によって形成される第４の画像が視認され得る。
【００７９】
従って、表示装置１では、第３の画像を第３の範囲２０３に表示し、第４の画像を第４の範囲２０７に表示することができる。第３の範囲２０３及び第４の範囲２０７は、相互に異なる範囲である。
このように、表示装置１では、Ｘ方向において、異なる複数の範囲に指向性表示を行うことができる。
【００８０】
上述したように、表示装置１では、Ｙ方向において、第１の範囲１８３及び第２の範囲１８７のそれぞれに指向性表示を行うことができる。また、Ｘ方向において、第３の範囲２０３及び第４の範囲２０７のそれぞれに指向性表示を行うことができる。
第１の範囲１８３と、第２の範囲１８７と、第３の範囲２０３と、第４の範囲２０７とは、相互に異なる範囲である。このように、表示装置１では、Ｘ方向及びＹ方向の双方において、相互に異なる複数の範囲（本実施形態では、４つの範囲）に指向性表示を行うことができる。
【００８１】
本実施形態において、遮光膜１０３及び開口部１１１が光学素子に対応し、Ｙ方向が第１の方向に対応し、Ｘ方向が第２の方向に対応している。
本実施形態では、遮光膜１０３に設けられた開口部１１１は、画素群５５に対応している。つまり、開口部１１１が、画素群５５ごとに設けられている。画素群５５には、第１の画素７1と、第２の画素７2と、第３の画素７3と、第４の画素７4とが、１つずつ含まれている。
【００８２】
１組の画素群５５における４つの画素７からの光は、開口部１１１を介して画素７ごとに異なる範囲に及ぶ。つまり、本実施形態では、第１の画像〜第４の画像のそれぞれを形成する光が及ぶ範囲は、画素７ごとに規定される。
このため、例えば、第１の画像〜第４の画像のそれぞれを形成する光が及ぶ範囲を複合画素５４の単位で規定する場合に比較して、Ｒ，Ｇ及びＢの光が及ぶ範囲を画像ごとに合わせやすくすることができる。
この結果、各画像の表示品位が損なわれる範囲を軽減しやすくすることができる。
【００８３】
また、本実施形態では、図４に示す表示領域６において、対角線４６ａ及び対角線４６ｂが、それぞれ、Ｘ方向及びＹ方向のそれぞれの方向とは交差する方向に延在している。このため、第１の範囲１８３及び第２の範囲１８７が延在する方向を、対角線４６ａ及び対角線４６ｂが延在する方向からずらすことができる。同様に、第３の範囲２０３及び第４の範囲２０７が延在する方向（Ｘ方向）も、対角線４６ａ及び対角線４６ｂが延在する方向からずらすことができる。
これにより、指向性表示における第１の画像及び第２の画像の方向（Ｙ方向）と、指向性表示における第３の画像及び第４の画像の方向（Ｘ方向）とを、対角線４６ａ及び対角線４６ｂが延在する方向からずらすことができる。
【００８４】
さらに、本実施形態では、表示領域６は、Ｘ方向に沿って延在する辺４３ａ及び辺４３ｂと、Ｙ方向に沿って延在する辺４３ｃ及び辺４３ｄとを有する四辺形に設定されている。このため、第１の範囲１８３及び第２の範囲１８７が延在する方向と、辺４３ｃ及び辺４３ｄが延在する方向とを、合わせやすくすることができる。同様に、第３の範囲２０３及び第４の範囲２０７が延在する方向と、辺４３ａ及び辺４３ｂが延在する方向とを、合わせやすくすることができる。
このため、指向性表示における第１の画像及び第２の画像の方向（Ｙ方向）を、辺４３ｃ及び辺４３ｄが延在する方向に合わせやすくすることができる。同様に、指向性表示における第３の画像及び第４の画像の方向（Ｘ方向）を、辺４３ａ及び辺４３ｂが延在する方向に合わせやすくすることができる。
【００８５】
これにより、例えば、指向性表示を観察する観察者は、四辺形の表示領域６に対して、Ｘ方向やＹ方向に沿って対峙することによって、各画像を観察しやすい。これは、例えば、指向性表示を観察するときに、四辺形の表示領域６に対して、対角線４６ａや対角線４６ｂが延在する方向に沿って対峙する場合に比較して、観察者に違和感を感じさせにくくすることができるためである。
また、例えば、指向性表示における第１の画像及び第２の画像の方向や、指向性表示における第３の画像及び第４の画像の方向が対角線４６ａや対角線４６ｂが延在する方向に沿っていると、観察者は、例えばひし形のような異形の表示領域を観察する。異形の表示領域では、観察者に強い違和感を感じさせてしまう。
上記のような理由から、指向性表示における第１の画像及び第２の画像の方向（Ｙ方向）と、指向性表示における第３の画像及び第４の画像の方向（Ｘ方向）とを、対角線４６ａ及び対角線４６ｂが延在する方向からずらすことは好ましい。
【００８６】
また、本実施形態では、画素７は、Ｙ方向に延在する第１辺３７ａと、Ｘ方向に延在する第２辺３７ｂとを有する四辺形によって区画されている。また、複数の画素群５５は、Ｘ方向及びＹ方向とは交差するＶ方向に並んでいる。この構成では、画素群５５の配置密度（解像度）を高めやすくすることができる。この結果、画素７の配置密度（解像度）を高めやすくすることができる。
これにより、指向性表示における各画像の高精細化を図りやすくすることができる。このため、本実施形態では、指向性表示における表示品位を高めやすくすることができる。
【００８７】
また、本実施形態では、画素７の第１辺３７ａが第２辺３７ｂよりも長い。換言すれば、第２辺３７ｂが第１辺３７ａよりも短い。このため、Ｘ方向における解像度を、Ｙ方向における解像度よりも高めることができる。この結果、指向性表示における各画像の高精細化を一層図りやすくすることができ、指向性表示における表示品位を一層高めやすくすることができる。
【００８８】
なお、本実施形態では、Ｒ，Ｇ及びＢの光の色を画素列５１ごとに規定した配列構成Ｍ１（図３）が採用されている。しかしながら、Ｒ，Ｇ及びＢの配列は、配列構成Ｍ１に限定されない。
Ｒ，Ｇ及びＢの配列としては、例えば、図１９に示すように、Ｒ，Ｇ及びＢがＹ方向に並ぶ配列も採用され得る。この図１９に示す配列構成は、配列構成Ｍ２と呼ばれる。
配列構成Ｍ２では、１つの画素列５１において、画素７Ｒと画素７Ｇと画素７Ｂとが連続して並んでいる。そして、１つの画素列５１では、連続して並ぶ画素７Ｒ、画素７Ｇ及び画素７Ｂの組が、Ｙ方向に反復して出現する。
【００８９】
他の観点において、配列構成Ｍ２では、複数の画素７Ｒが、Ｘ方向に沿って画素列５１の１列おきに並んでいる。同様に、複数の画素７Ｇも、Ｘ方向に沿って画素列５１の１列おきに並んでおり、複数の画素７Ｂも、Ｘ方向に沿って画素列５１の１列おきに並んでいる。
この配列構成Ｍ２においても、配列構成Ｍ１と同様の効果が得られる。
【００９０】
また、１つの画素列５１において、画素７Ｒと画素７Ｇと画素７Ｂとが連続して並ぶ配列としては、例えば、図２０に示す配列構成Ｍ３も採用され得る。
配列構成Ｍ３は、配列構成Ｍ２と同様に、１つの画素列５１で、連続して並ぶ画素７Ｒ、画素７Ｇ及び画素７Ｂの組がＹ方向に反復して出現する。
ところが、配列構成Ｍ３は、Ｘ方向に対してジグザグに並ぶ画素７の配列５６単位でＲ，Ｇ及びＢが規定されているという点で配列構成Ｍ２とは異なる。
この配列構成Ｍ３においても、配列構成Ｍ１や配列構成Ｍ２と同様の効果が得られる。
【００９１】
また、Ｒ，Ｇ及びＢの配列としては、例えば、図２１に示すように、Ｒ，Ｇ及びＢを画素群５５ごとに規定した配列も採用され得る。この図２１に示す配列構成は、配列構成Ｍ４と呼ばれる。配列構成Ｍ４では、画素群５５は、４つの画素７Ｒを有する画素群５５Ｒと、４つの画素７Ｇを有する画素群５５Ｇと、４つの画素７Ｂを有する画素群５５Ｂとに識別される。
この配列構成Ｍ４においても、配列構成Ｍ１や配列構成Ｍ２や配列構成Ｍ３と同様の効果が得られる。配列構成Ｍ４では、Ｙ方向に並ぶ画素群５５の列単位でＲ，Ｇ及びＢが規定されている。この点において、配列構成Ｍ４では、配列構成Ｍ１に準じた配列が採用されている。
なお、Ｒ，Ｇ及びＢを画素群５５ごとに規定する配列は、配列構成Ｍ４に限定されず、配列構成Ｍ２や配列構成Ｍ３などに準じた種々の配列が採用され得る。
【００９２】
また、本実施形態では、複数組の画素群５５が、図８に示すように、Ｖ方向に沿って並んでいる。しかしながら、複数組の画素群５５が並ぶ方向は、Ｖ方向に限定されず、例えば、図２２に示すように、Ｖ方向から傾いた方向であるＷ方向も採用され得る。Ｗ方向は、Ｘ方向、Ｙ方向及びＶ方向のいずれに対しても交差する方向である。図２２に示す配列構成は、配列構成Ｍ５と呼ばれる。
配列構成Ｍ５においても、配列構成Ｍ１〜配列構成Ｍ４のそれぞれと同様の効果が得られる。
【００９３】
また、本実施形態では、画素７の第２辺３７ｂが、図３に示すように、第１辺３７ａよりも短い長さに設定されている。しかしながら、第２辺３７ｂの長さは、第１辺３７ａよりも短い長さに限定されず、図２３に示すように、第１辺３７ａよりも長い長さも採用され得る。図２３に示す配列構成は、配列構成Ｍ６と呼ばれる。
配列構成Ｍ６において、画素群５５の配列は、配列構成Ｍ１（図８）や、配列構成Ｍ５（図２２）に準じた配列が採用され得る。また、配列構成Ｍ６において、Ｒ，Ｇ及びＢの配列は、配列構成Ｍ１〜配列構成Ｍ４のそれぞれに準じた種々の配列が採用され得る。
配列構成Ｍ６においても、配列構成Ｍ１〜配列構成Ｍ５のそれぞれと同様の効果が得られる。
さらに、配列構成Ｍ６では、第１辺３７ａが第２辺３７ｂよりも短いので、Ｙ方向における解像度を、Ｘ方向における解像度よりも高めることができる。
【００９４】
また、画素７の第２辺３７ｂの長さとしては、図２４に示すように、第１辺３７ａの長さと同等の長さも採用され得る。図２４に示す配列構成は、配列構成Ｍ７と呼ばれる。
配列構成Ｍ７において、画素群５５の配列は、配列構成Ｍ１（図８）や、配列構成Ｍ５（図２２）に準じた配列が採用され得る。また、配列構成Ｍ７において、Ｒ，Ｇ及びＢの配列は、配列構成Ｍ１〜配列構成Ｍ４のそれぞれに準じた種々の配列が採用され得る。
配列構成Ｍ７においても、配列構成Ｍ１〜配列構成Ｍ５のそれぞれと同様の効果が得られる。
さらに、配列構成Ｍ７では、第１辺３７ａと第２辺３７ｂとが同等の長さなので、Ｘ方向における解像度とＹ方向における解像度との差を軽減することができる。
【００９５】
また、本実施形態では、画素群５５が４つの画素７を有している。しかしながら、画素群５５が有する画素７の個数は、４つに限定されず、４つ以上の任意の個数が採用され得る。
また、表示装置１では、ＴＮ型の液晶２５を例に説明したが、液晶２５はこれに限定されず、ＦＦＳ（Fringe Field Switching）型、ＩＰＳ（In Plane Switching）型、ＶＡ（Vertical Alignment）型等の種々の型が採用され得る。
【００９６】
上述した表示装置１は、例えば、図２５（ａ）に示す電子機器５００の表示部５１０に適用され得る。この電子機器５００は、カーナビゲーションシステム用の表示機器である。電子機器５００では、表示装置１が適用された表示部５１０によって、例えば、運転席側から第３の画像として地図などの画像が視認され、助手席側から第４の画像として映画などの画像が視認され得る。
そして、図２５（ｂ）に示すように、電子機器５００を回動させれば、運転席側から第２の画像として地図などの画像が縦長に視認され、助手席側から第１の画像として映画などの画像が縦長に視認され得る。
また、電子機器５００では、表示部５１０として表示装置１が適用されているので、指向性表示における第１の画像及び第２の画像、並びに第３の画像及び第４の画像のそれぞれの表示における表示品位を向上させやすくすることができる。
なお、電子機器５００としては、カーナビゲーションシステム用の表示機器に限られず、携帯電話機、モバイルコンピューター、デジタルスチルカメラ、デジタルビデオカメラ、車載機器、オーディオ機器等の種々の電子機器が挙げられる。
【図面の簡単な説明】
【００９７】
【図１】本実施形態における表示装置の主要構成を示す分解斜視図。
【図２】図１中のＡ−Ａ線における断面図。
【図３】本実施形態における複数の画素の一部を示す平面図。
【図４】本実施形態における表示パネルを示す平面図。
【図５】本実施形態における複数の画素の一部を示す平面図。
【図６】本実施形態における複数の画素の一部を示す平面図。
【図７】本実施形態における複数の画素の一部を示す平面図。
【図８】本実施形態における複数組の画素群の配列を説明する平面図。
【図９】図３中のＤ−Ｄ線における断面図。
【図１０】本実施形態における遮光膜を示す平面図。
【図１１】本実施形態における遮光膜に設けられた開口部を示す平面図。
【図１２】図１１中のＥ−Ｅ線における断面図。
【図１３】図１１中のＦ−Ｆ線における断面図。
【図１４】本実施形態におけるＴＦＴ素子及び画素電極の配置を示す平面図。
【図１５】本実施形態におけるＴＦＴ素子及びゲート線の配置を示す平面図。
【図１６】本実施形態における液晶パネルでの偏光状態を説明する図。
【図１７】本実施形態における液晶パネル及び遮光膜を図１１中のＦ−Ｆ線で切断したときの模式的な断面図。
【図１８】本実施形態における液晶パネル及び遮光膜を図１１中のＥ−Ｅ線で切断したときの模式的な断面図。
【図１９】本実施形態における画素の配列構成の他の例を示す平面図。
【図２０】本実施形態における画素の配列構成の他の例を示す平面図。
【図２１】本実施形態における画素の配列構成の他の例を示す平面図。
【図２２】本実施形態における画素の配列構成の他の例を示す平面図。
【図２３】本実施形態における画素の配列構成の他の例を示す平面図。
【図２４】本実施形態における画素の配列構成の他の例を示す平面図。
【図２５】本実施形態における表示装置を適用した電子機器の斜視図。
【図２６】従来技術における課題を説明する図。
【図２７】従来技術における課題を説明する図。
【符号の説明】
【００９８】
１…表示装置、３…表示パネル、６…表示領域、７…画素、７1…第１の画素、７2…第２の画素、７3…第３の画素、７4…第４の画素、９…表示面、１１…液晶パネル、１３…バリア基板、２１…素子基板、２３…対向基板、２５…液晶、３７ａ…第１辺、３７ｂ…第２辺、４１ａ，４１ｂ，４１ｃ，４１ｄ…辺、４３ａ，４３ｂ，４３ｃ，４３ｄ…辺、４４ａ，４４ｂ…角部、４５ａ，４５ｂ…角部、４６ａ，４６ｂ…対角線、５１…画素列、５３…画素配列、５４…複合画素、５５…画素群、６１…第１基板、６５…ゲート絶縁膜、６７…絶縁膜、６９…配向膜、７１…ＴＦＴ素子、７３…画素電極、８５…第２基板、８９…カラーフィルター、９３…対向電極、９５…配向膜、１０１…第３基板、１０３…遮光膜、１１１…開口部、１１３…遮光部、１８１…光、１８３…第１の範囲、１８５…光、１８７…第２の範囲、２０１…光、２０３…第３の範囲、２０５…光、２０７…第４の範囲、５００…電子機器、５１０…表示部、Ｍ１，Ｍ２，Ｍ３，Ｍ４，Ｍ５，Ｍ６，Ｍ７…配列構成。
【図１】
2010176058.tif 000003
【図２】
2010176058.tif 000004
【図３】
2010176058.tif 000005
【図４】
2010176058.tif 000006
【図５】
2010176058.tif 000007
【図６】
2010176058.tif 000008
【図７】
2010176058.tif 000009
【図８】
2010176058.tif 000010
【図９】
2010176058.tif 000011
【図１０】
2010176058.tif 000012
【図１１】
2010176058.tif 000013
【図１２】
2010176058.tif 000014
【図１３】
2010176058.tif 000015
【図１４】
2010176058.tif 000016
【図１５】
2010176058.tif 000017
【図１６】
2010176058.tif 000018
【図１７】
2010176058.tif 000019
【図１８】
2010176058.tif 000020
【図１９】
2010176058.tif 000021
【図２０】
2010176058.tif 000022
【図２１】
2010176058.tif 000023
【図２２】
2010176058.tif 000024
【図２３】
2010176058.tif 000025
【図２４】
2010176058.tif 000026
【図２５】
2010176058.tif 000027
【図２６】
2010176058.tif 000028
【図２７】
2010176058.tif 000029